【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
画像形成装置に用いられるクリーニング装置において、
枠体と、
像担持体の表面から現像剤を除去する、前記枠体に取り付けられたクリーニング部材であって、前記像担持体の表面に当接するブレード部材と、前記ブレード部材を支持する支持部材であって、平面状の第一表面と、前記第一表面と交差する平面状の第二表面と、前記支持部材の長手方向の全域にわたって前記第一表面と前記第二表面とをつなぐ曲げ部と、を有する支持部材と、を有し、前記ブレード部材は、前記長手方向と交差する方向において、前記曲げ部とは反対側である前記第一表面の端部に前記長手方向に沿って設けられたクリーニング部材と、
前記クリーニング部材と前記枠体との間をシールする樹脂で形成されたシール部材であって、前記クリーニング部材の前記長手方向の一端側と他端側で、前記交差する方向に沿って前記ブレード部材から前記第一表面を介して前記第二表面に至る領域において前記クリーニング部材と前記枠体との間を封止する第一シール部と、前記長手方向に沿って前記一端側の第一シール部と前記他端側の第一シール部との間の領域において前記第二表面と前記枠体との間を封止する第二シール部と、を有し、前記第二シール部は、前記長手方向と直交する断面において前記第二表面に対し傾斜して接触しているシール部材と、
を有することを特徴とするクリーニング装置。
【請求項２】
前記第一シール部は、前記クリーニング部材を前記枠体に取り付けた際に、前記クリーニング部材との接触による変形量が、前記交差する方向に沿って前記曲げ部から前記第一表面の端部及び前記第二表面の端部にそれぞれ向かうにつれ大きくなるような形状であることを特徴とする請求項１に記載のクリーニング装置。
【請求項３】
前記クリーニング部材は、前記枠体に対し回動可能に支持されていることを特徴とする請求項１又は２に記載のクリーニング装置。
【請求項４】
前記シール部材は、前記枠体に一体で成形されていることを特徴とする請求項１〜３のいずれか１項に記載のクリーニング装置。
【請求項５】
前記第二シール部は、前記長手方向と直交する断面において前記第二表面に対して、前記第二シール部の先端が前記曲げ部から前記第二表面の端部に向かって傾斜して接触していることを特徴とする請求項１〜４のいずれか１項に記載のクリーニング装置。
【請求項６】
前記第二シール部と前記第二表面のなす角度θは、０°＜θ＜９０°であることを特徴とする請求項５に記載のクリーニング装置。
【請求項７】
前記第二シール部と前記第二表面のなす角度θは、２０°＜θ＜６０°であることを特徴とする請求項５に記載のクリーニング装置。
【請求項８】
前記長手方向は前記像担持体の軸線方向である請求項１〜７のいずれか１項に記載のクリーニング装置。
【請求項９】
画像形成装置の本体に着脱可能なプロセスカートリッジであって、
像担持体と、
枠体と、
像担持体の表面から現像剤を除去する、前記枠体に取り付けられたクリーニング部材であって、前記像担持体の表面に当接するブレード部材と、前記ブレード部材を支持する支持部材であって、平面状の第一表面と、前記第一表面と交差する平面状の第二表面と、前記支持部材の長手方向の全域にわたって前記第一表面と前記第二表面とをつなぐ曲げ部と、を有する支持部材と、を有し、前記ブレード部材は、前記長手方向と交差する方向において、前記曲げ部とは反対側である前記第一表面の端部に前記長手方向に沿って設けられたクリーニング部材と、
前記クリーニング部材と前記枠体との間をシールする樹脂で形成されたシール部材であって、前記クリーニング部材の前記長手方向の一端側と他端側で、前記交差する方向に沿って前記ブレード部材から前記第一表面を介して前記第二表面に至る領域において前記クリーニング部材と前記枠体との間を封止する第一シール部と、前記長手方向に沿って前記一端側の第一シール部と前記他端側の第一シール部との間の領域において前記第二表面と前記枠体との間を封止する第二シール部と、を有し、前記第二シール部は、前記長手方向と直交する断面において前記第二表面に対し傾斜して接触しているシール部材と、
を有することを特徴とするプロセスカートリッジ。
【請求項１０】
前記第一シール部は、前記クリーニング部材を前記枠体に取り付けた際に、前記クリーニング部材との接触による変形量が、前記交差する方向に沿って前記曲げ部から前記第一表面の端部及び前記第二表面の端部にそれぞれ向かうにつれ大きくなるような形状であることを特徴とする請求項９に記載のプロセスカートリッジ。
【請求項１１】
前記クリーニング部材は、前記枠体に対し回動可能に支持されていることを特徴とする請求項９又は１０に記載のプロセスカートリッジ。
【請求項１２】
前記シール部材は、前記枠体に一体で成形されていることを特徴とする請求項９〜１１のいずれか１項に記載のプロセスカートリッジ。
【請求項１３】
前記第二シール部は、前記長手方向と直交する断面において前記第二表面に対して、前記第二シール部の先端が前記曲げ部から前記第二表面の端部に向かって傾斜して接触していることを特徴とする請求項９〜１２のいずれか１項に記載のプロセスカートリッジ。
【請求項１４】
前記第二シール部と前記第二表面のなす角度θは、０°＜θ＜９０°であることを特徴とする請求項１３に記載のプロセスカートリッジ。
【請求項１５】
前記第二シール部と前記第二表面のなす角度θは、２０°＜θ＜６０°であることを特徴とする請求項１３に記載のプロセスカートリッジ。
【請求項１６】
前記長手方向は前記像担持体の軸線方向である請求項９〜１５のいずれか１項に記載のプロセスカートリッジ。
【請求項１７】
記録媒体に画像を形成する画像形成装置において、
（ｉ）像担持体と、
（ｉｉ）枠体と、
前記像担持体の表面から現像剤を除去する、前記枠体に取り付けられたクリーニング部材であって、前記像担持体の表面に当接するブレード部材と、前記ブレード部材を支持する支持部材であって、平面状の第一表面と、前記第一表面と交差する平面状の第二表面と、前記支持部材の長手方向の全域にわたって前記第一表面と前記第二表面とをつなぐ曲げ部と、を有する支持部材と、を有し、前記ブレード部材は、前記長手方向と交差する方向において、前記曲げ部とは反対側である前記第一表面の端部に前記長手方向に沿って設けられたクリーニング部材と、
前記クリーニング部材と前記枠体との間をシールする樹脂で形成されたシール部材であって、前記クリーニング部材の前記長手方向の一端側と他端側で、前記交差する方向に沿って前記ブレード部材から前記第一表面を介して前記第二表面に至る領域において前記クリーニング部材と前記枠体との間を封止する第一シール部と、前記長手方向に沿って前記一端側の第一シール部と前記他端側の第一シール部との間の領域において前記第二表面と前記枠体との間を封止する第二シール部と、を有し、前記第二シール部は、前記長手方向と直交する断面において前記第二表面に対し傾斜して接触しているシール部材と、
を有することを特徴とするクリーニング装置と、
（ｉｉｉ）記録媒体を搬送する搬送手段と、
を有することを特徴とする画像形成装置。
【請求項１８】
前記第一シール部は、前記クリーニング部材を前記枠体に取り付けた際に、前記クリーニング部材との接触による変形量が、前記交差する方向に沿って前記曲げ部から前記第一表面の端部及び前記第二表面の端部にそれぞれ向かうにつれ大きくなるような形状であることを特徴とする請求項１７に記載の画像形成装置。
【請求項１９】
前記クリーニング部材は、前記枠体に対し回動可能に支持されていることを特徴とする請求項１７又は１８に記載の画像形成装置。
【請求項２０】
前記シール部材は、前記枠体に一体で成形されていることを特徴とする請求項１７〜１９のいずれか１項に記載の画像形成装置。
【請求項２１】
前記第二シール部は、前記長手方向と直交する断面において前記第二表面に対して、前記第二シール部の先端が前記曲げ部から前記第二表面の端部に向かって傾斜して接触していることを特徴とする請求項１７〜２０のいずれか１項に記載の画像形成装置。
【請求項２２】
前記第二シール部と前記第二表面のなす角度θは、０°＜θ＜９０°であることを特徴とする請求項２１に記載の画像形成装置。
【請求項２３】
前記第二シール部と前記第二表面のなす角度θは、２０°＜θ＜６０°であることを特徴とする請求項２１に記載の画像形成装置。
【請求項２４】
前記長手方向は前記像担持体の軸線方向である請求項１７〜２３のいずれか１項に記載の画像形成装置。
【手続補正２】
【補正対象書類名】明細書
【補正対象項目名】発明の名称
【補正方法】変更
【補正の内容】
【発明の名称】クリーニング装置、プロセスカートリッジ及び画像形成装置
【手続補正３】
【補正対象書類名】明細書
【補正対象項目名】０００１
【補正方法】変更
【補正の内容】
【０００１】
本発明は、画像形成装置に用いられるクリーニング装置及びプロセスカートリッジ、並びに、画像形成装置に関するものである。
【手続補正４】
【補正対象書類名】明細書
【補正対象項目名】００１３
【補正方法】変更
【補正の内容】
【００１３】
従って、本発明の目的は、部品の形状や寸法のばらつきなどがあっても、より簡易、確実に、クリーニング部材の短手方向と長手方向をシールすることのできるクリーニング装置、プロセスカートリッジ及び画像形成装置を提供することである。
【手続補正５】
【補正対象書類名】明細書
【補正対象項目名】００１４
【補正方法】変更
【補正の内容】
【００１４】
上記目的は本発明に係るクリーニング装置、プロセスカートリッジ及び画像形成装置にて達成される。要約すれば、本発明は、画像形成装置に用いられるクリーニング装置において；枠体と、像担持体の表面から現像剤を除去する、前記枠体に取り付けられたクリーニング部材であって、前記像担持体の表面に当接するブレード部材と、前記ブレード部材を支持する支持部材であって、平面状の第一表面と、前記第一表面と交差する平面状の第二表面と、前記支持部材の長手方向の全域にわたって前記第一表面と前記第二表面とをつなぐ曲げ部と、を有する支持部材と、を有し、前記ブレード部材は、前記長手方向と交差する方向において、前記曲げ部とは反対側である前記第一表面の端部に前記長手方向に沿って設けられたクリーニング部材と；前記クリーニング部材と前記枠体との間をシールする樹脂で形成されたシール部材であって、前記クリーニング部材の前記長手方向の一端側と他端側で、前記交差する方向に沿って前記ブレード部材から前記第一表面を介して前記第二表面に至る領域において前記クリーニング部材と前記枠体との間を封止する第一シール部と、前記長手方向に沿って前記一端側の第一シール部と前記他端側の第一シール部との間の領域において前記第二表面と前記枠体との間を封止する第二シール部と、を有し、前記第二シール部は、前記長手方向と直交する断面において前記第二表面に対し傾斜して接触しているシール部材と；を有することを特徴とするクリーニング装置である。
【手続補正６】
【補正対象書類名】明細書
【補正対象項目名】００１５
【補正方法】変更
【補正の内容】
【００１５】
本発明の他の態様によると、画像形成装置の本体に着脱可能なプロセスカートリッジであって；像担持体と；枠体と；像担持体の表面から現像剤を除去する、前記枠体に取り付けられたクリーニング部材であって、前記像担持体の表面に当接するブレード部材と、前記ブレード部材を支持する支持部材であって、平面状の第一表面と、前記第一表面と交差する平面状の第二表面と、前記支持部材の長手方向の全域にわたって前記第一表面と前記第二表面とをつなぐ曲げ部と、を有する支持部材と、を有し、前記ブレード部材は、前記長手方向と交差する方向において、前記曲げ部とは反対側である前記第一表面の端部に前記長手方向に沿って設けられたクリーニング部材と；前記クリーニング部材と前記枠体との間をシールする樹脂で形成されたシール部材であって、前記クリーニング部材の前記長手方向の一端側と他端側で、前記交差する方向に沿って前記ブレード部材から前記第一表面を介して前記第二表面に至る領域において前記クリーニング部材と前記枠体との間を封止する第一シール部と、前記長手方向に沿って前記一端側の第一シール部と前記他端側の第一シール部との間の領域において前記第二表面と前記枠体との間を封止する第二シール部と、を有し、前記第二シール部は、前記長手方向と直交する断面において前記第二表面に対し傾斜して接触しているシール部材と；を有することを特徴とするプロセスカートリッジが提供される。
【手続補正７】
【補正対象書類名】明細書
【補正対象項目名】００１６
【補正方法】変更
【補正の内容】
【００１６】
本発明の更に他の態様によると、記録媒体に画像を形成する画像形成装置において、（ｉ）像担持体と、（ｉｉ）枠体と；前記像担持体の表面から現像剤を除去する、前記枠体に取り付けられたクリーニング部材であって、前記像担持体の表面に当接するブレード部材と、前記ブレード部材を支持する支持部材であって、平面状の第一表面と、前記第一表面と交差する平面状の第二表面と、前記支持部材の長手方向の全域にわたって前記第一表面と前記第二表面とをつなぐ曲げ部と、を有する支持部材と、を有し、前記ブレード部材は、前記長手方向と交差する方向において、前記曲げ部とは反対側である前記第一表面の端部に前記長手方向に沿って設けられたクリーニング部材と；前記クリーニング部材と前記枠体との間をシールする樹脂で形成されたシール部材であって、前記クリーニング部材の前記長手方向の一端側と他端側で、前記交差する方向に沿って前記ブレード部材から前記第一表面を介して前記第二表面に至る領域において前記クリーニング部材と前記枠体との間を封止する第一シール部と、前記長手方向に沿って前記一端側の第一シール部と前記他端側の第一シール部との間の領域において前記第二表面と前記枠体との間を封止する第二シール部と、を有し、前記第二シール部は、前記長手方向と直交する断面において前記第二表面に対し傾斜して接触しているシール部材と；を有することを特徴とするクリーニング装置と、（ｉｉｉ）記録媒体を搬送する搬送手段と、を有することを特徴とする画像形成装置が提供される。
【手続補正８】
【補正対象書類名】明細書
【補正対象項目名】００３３
【補正方法】変更
【補正の内容】
【００３３】
その後、中間転写ベルト５の移動と同期して記録材１２が二次転写部へと搬送される（搬送手段）。そして、記録材１２を介して中間転写ベルト５に当接している二次転写ローラ９の作用によって、中間転写ベルト５上の４色トナー像は、一括して記録材１２上に二次転写される。